(57)【要約】      （修正有）【課題】服飾品等の物の購入を行うにあたり、予算の目標額の制限を考慮しつつ、短時間で容易に、最適コーディネートされた組合せを見つけ、それをシステム上で購入可能にする。【解決手段】購入希望者の人管理情報Ａと、服飾品の物管理情報Ｂとは、インターネット回線５を通じて、中央管理会社６の中央コンピュータ７に連結し、中央コンピュータ７には、これらの全ての情報を貯蔵処理するデータベース８が接続されており、購入希望者の人管理情報Ａと、服飾品の物管理情報Ｂとの最適マッチング処理を行う相互管理コーディネートシステム。【選択図】図１
2012033128.tif 000002
【特許請求の範囲】
【請求項１】
購入希望者の人管理情報Ａと、服飾品の物管理情報Ｂとは、パーソナルコンピュータ、又は携帯端末（携帯電話、ＰＤＡ、Ｉ−ＰＯＤ、等の携帯電子機器を含む）を介して、
インターネット回線を通じて、中央管理会社の中央コンピュータに連結し、中央コンピュータには、これらの全ての情報を貯蔵処理するデータベースが接続されており、購入希望者の人管理情報Ａと、服飾品の物管理情報Ｂとの最適マッチング処理を行うコーディネートシステムである「マイコーディネータＣ」が連結されており、マイコーディネータＣは、購入希望者のコーディネート例を、コーディネート画面に表示し、その内容に応じ、購入希望者は、購入決定、無決の選択ができるように構成されていることを特徴とする相互管理コーディネートシステム。
【請求項２】
購入希望者は、「マイコーディネータＣ」内の購入決定、無決の選択により、最終的購入決裁が、同一の系統画面である購入処理画面Ｆに移動することができ、送信ボタンを押すことにより決定し、購入決裁処理することができるように構成されていることを特徴とする請求項１記載の相互管理コーディネートシステム。
【請求項３】
購入希望者の人管理情報Ａは、氏名、男女別、住所、年齢、家族構成、顔写真、等である基本情報Ａ１、及び／又は身長、体重、スリーサイズ、帽子サイズ、靴サイズ、等である身体情報Ａ２、及び／又は「派手」「やや派手」、「おとなしい」、「地味」等の好みを記入できる好み情報Ａ３
及び／又は仕事・通勤着、普段着、結婚式・パーティ、遊び、法事、スポーツ着、その他等の場面情報Ａ４、及び／又はシーズン情報Ａ５、及び／又は希望品目Ａ６、及び／又はコーディネート範囲Ａ７、及び／又は購入予算Ａ８、及び／又はメーカー・ブランド情報Ａ９で構成されており、
服飾品の物管理情報Ｂは、種別Ｂ０で分類されている洋服、及び／又は和服、及び／又は帽子、及び／又は靴、及び／又はスカーフ・マフラー、及び／又は宝飾品、及び／又はその他に区分され、更に、メーカー、販売会社、中古品出品者等の提供者情報Ｄを記入することができることを特徴とする請求項１、又は請求項２記載の相互管理コーディネートシステム。
【請求項４】
服飾品の物管理情報Ｂには、メーカー、販売会社、中古品出品者等の提供者情報Ｄが入力でき、中央コンピュータに提供者情報Ｄの商品や、コーディネート案Ｅを、インターネット回線５を介して、提案することができ、
コーディネート画面Ｅの顔の部分１０は、購入希望者の顔写真をはめ込んだり、好みのモデルの顔をはめ込んだり、又はイラスト画の顔をはめ込むことができ、
服飾品のコーディネート画面Ｅの服飾品部分１１は、物品の写真画像でもよいし、写真以外のイラスト画、又はアニメーション映像の表示で合成画面に表示され、
コーディネート例Ｅの画面は、２Ｄ画像、２Ｄの回転画像、３Ｄ画像でもよいことを特徴とする請求項１、又は請求項２、又は請求項３記載の相互管理コーディネートシステム。
【発明の詳細な説明】
【技術分野】
【０００１】  本発明は、購入希望者の人管理情報Ａと服飾品の物管理情報Ｂとの相互管理コーディネートシステムに関する。
【背景技術】
【０００２】  従来、購入希望者は、店頭やインターネット上で、自分の好みの衣服、装飾品、帽子、靴等を夫々確認、又は検索し、服飾品等の物の購入を行ってきた。
しかるに予算の目標額の制限を考慮しつつ選択を行うには、商品知識や、コーディネートの経験の不足により最適な組み合わせを見つけるには、多くの労力と時間がかかり、短時間で容易に、最適コーディネートされた組合わせを見つけ、それを購入することができなかった。【０００３】  そのため、服飾品のメーカーや商店のホームページで自社製品を組み合わせたコーディネート案が提供されてきたが、いずれも購入者の希望を十分に解決するコーディネートシステムは提供されていなかった。【０００４】
【発明の概要】
【発明が解決しようとする課題】
【０００５】  本発明は購入希望者の人管理情報Ａと、服飾品等の物管理情報Ｂとの相互管理コーディネートシステムに関する。
特に購入希望者の人管理情報Ａと、服飾品の物管理情報Ｂとの最適マッチング処理を、購入希望者のコーディネート希望条件を入力し、最適コーディネート例を示すと共に、その購入もシステム上で可能にした画期的システムを提供するものである。
【課題を解決するための手段】
【０００６】  購入希望者の人管理情報Ａと、服飾品の物管理情報Ｂとは、パーソナルコンピュータ、又は携帯端末（携帯電話、ＰＤＡ、Ｉ−ＰＯＤ、等の携帯電子機器を含む）を介して、
インターネット回線を通じて、中央管理会社の中央コンピュータに連結し、中央コンピュータには、これらの全ての情報を貯蔵処理するデータベースが接続されており、購入希望者の人管理情報Ａと、服飾品の物管理情報Ｂとの最適マッチング処理を行うコーディネートシステムである「マイコーディネータＣ」が連結されており、マイコーディネータＣは、購入希望者のコーディネート例を、コーディネート画面に表示し、その内容に応じ、購入希望者は、購入決定、無決の選択ができるように構成されていることを特徴とする相互管理コーディネートシステムを提供する。【０００７】  購入希望者は、「マイコーディネータＣ」内の購入決定、無決の選択により、最終的購入決裁が、同一の系統画面である購入処理画面Ｆに移動することができ、送信ボタンを押すことにより決定し、購入決裁処理することができるように構成されていることを特徴とする請求項１記載の相互管理コーディネートシステムを提供する。【０００８】  購入希望者の人管理情報Ａは、氏名、男女別、住所、年齢、家族構成、顔写真、等である基本情報Ａ１、及び／又は身長、体重、スリーサイズ、帽子サイズ、靴サイズ、等である身体情報Ａ２、及び／又は「派手」「やや派手」、「おとなしい」、「地味」等の好みを記入できる好み情報Ａ３
及び／又は仕事・通勤着、普段着、結婚式・パーティ、遊び、法事、スポーツ着、その他等の場面情報Ａ４、及び／又はシーズン情報Ａ５、及び／又は希望品目Ａ６、及び／又はコーディネート範囲Ａ７、及び／又は購入予算Ａ８、及び／又はメーカー・ブランド情報Ａ９で構成されており、
服飾品の物管理情報Ｂは、種別Ｂ０で分類されている洋服、及び／又は和服、及び／又は帽子、及び／又は靴、及び／又はスカーフ・マフラー、及び／又は宝飾品、及び／又はその他に区分され、更に、メーカー、販売会社、中古品出品者等の提供者情報Ｄを記入することができることを特徴とする請求項１、又は請求項２記載の相互管理コーディネートシステムを提供する。【０００９】  服飾品の物管理情報Ｂには、メーカー、販売会社、中古品出品者等の提供者情報Ｄが入力でき、中央コンピュータに提供者情報Ｄの商品や、コーディネート案Ｅを、インターネット回線５を介して、提案することができ、
コーディネート画面Ｅの顔の部分１０は、購入希望者の顔写真をはめ込んだり、好みのモデルの顔をはめ込んだり、又はイラスト画の顔をはめ込むことができ、
服飾品のコーディネート画面Ｅの服飾品部分１１は、物品の写真画像でもよいし、写真以外のイラスト画、又はアニメ−ション映像の表示で合成画面に表示され、
コーディネート例Ｅの画面は、２Ｄ画像、２Ｄの回転画像、３Ｄ画像でもよいことを特徴とする請求項１、又は請求項２、又は請求項３記載の相互管理コーディネートシステムを提供する。
【発明の効果】
【００１０】  本発明の相互管理システムは、次の多くの効果を有するものである。
（１）購入希望者１の人管理情報Ａと、服飾品２の物管理情報Ｂとは、パーソナルコンピュータ（以下パソコンという）３ａ、３ｂ、又は携帯端末（携帯電話、ＰＤＡ、Ｉ−ＰＯＤ、等の携帯電子機器を含む）４ａ、４ｂを介して、最適マッチング処理を行うコーディネートシステムである「マイコーディネータＣ」（以下マイコーディネータＣという）に、連結することができる。
（２）インターネット回線５を通じて、中央管理会社６の中央コンピュータ７に連結し、マイコーディネータＣは、購入希望者のコーディネート例を、コーディネート画面に表示し、その内容に応じ、購入希望者１は、ただちに購入処理することができるように構成されている。
（３）服飾品２の物管理情報Ｂには、メーカー、販売会社、中古品提供者等の提供者情報Ｄが入力でき、中央コンピュータに自社の商品や、コーディネート案をインターネット回線５を介して、提案することができる。
【図面の簡単な説明】
【００１１】
【図１】本発明による相互管理コーディネートシステムの全体機器構成の一例である。
【図２】購入希望者１の人管理情報Ａの全体構成の一例である。
【図３】服飾品２の物管理情報Ｂの全体構成の一例である
【図４】提供者情報Ｄの一例である。
【図５】マイコーディネータＣの機能画面の一例である。
【図６】コーディネート画像Ｅのサムネイル画像の一例である。
【図７】コーディネート画像Ｅの詳細画像の一例である。
【図８】購入処理画面Ｆの一例である。
【発明を実施するための形態】
【００１２】  本発明は、発明の効果に前述した如く、特に購入希望者１の人管理情報Ａと、服飾品２の物管理情報Ｂとの最適マッチング処理を、購入希望者のコーディネート希望条件を入力し、最適コーディネート例を示すと共に、その購入もシステム上で可能にした画期的システムを提供するものである。
【００１３】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例１】
【００１４】  以下、本発明の実施例について、図面を参照しながら説明する。
この実施例は、図１に示すように、例えば購入希望者１の人管理情報Ａと、服飾品２の物管理情報Ｂとは、パーソナルコンピュータ（以下パソコンという）３ａ、３ｂ、又は携帯端末（携帯電話、ＰＤＡ、Ｉ−ＰＯＤ、等の携帯電子機器を含む）４ａ、４ｂを介して、インターネット回線５を通じて、中央管理会社６の中央コンピュータ７に連結し、中央コンピュータ７には、これらの全ての情報を貯蔵処理するデータベース８が接続されており、購入希望者１の人管理情報Ａと、服飾品２の物管理情報Ｂとの最適マッチング処理を行うコーディネートシステムである「マイコーディネータＣ」（以下マイコーディネータＣという）が、連結されている。
マイコーディネータＣは、購入希望者１向けのコーディネート例を、コーディネート画面に表示し、その内容に応じ、購入希望者１は、ただちに購入処理することができるように構成されている。【００１５】  又、服飾品２の物管理情報Ｂには、メーカー、販売会社、中古品提供者等の提供者情報Ｄが入力でき、中央コンピュータに自社の商品や、コーディネート案をインターネット回線５を介して、提案することができる。【００１６】  購入希望者１の人管理情報Ａは、図１、図２に示す如く、例えば購入希望者１の基本情報Ａ１、身体情報Ａ２、好み情報Ａ３、場面情報Ａ４、シーズン情報Ａ５、希望品目Ａ６、コーディネート範囲Ａ７、購入予算Ａ８、メーカー・ブランド情報Ａ９、ペット情報Ａ１０等の情報で構成されている。【００１７】  基本情報Ａ１は、氏名、男女別、住所、年齢、家族構成、顔写真、等を記入するように構成されている。
又、身体情報Ａ２は、身長、体重、スリーサイズ、帽子サイズ、靴サイズ、等を記入する。
好み情報Ａ３は、「派手」、「やや派手」、「おとなしい」、「地味」等の好みを記入する。
場面情報Ａ４は、仕事・通勤着、普段着、結婚式・パーティ、遊び、法事、スポーツ着、その他が選択される。
シーズン情報Ａ５は、春者、夏物、秋物、冬物等を選択できる。【００１８】  希望品目Ａ６とコーディネート範囲Ａ７は、服飾物２の物管理情報Ｂの画面の中から呼び出し、選択される。
購入予算Ａ８は、「０から５，０００円未満」、「５，０００から１万円未満」、「１万円から３万円未満」、等のように段階的に選択できる。
メーカー・ブランド情報Ａ９は、Ａ社を初め、多くの任意のメーカー・ブランドを、選択できる。
ペット情報Ａ１０は、購入希望者のペットの用品が購入できるように構成されている。【００１９】  服飾品２の物管理情報Ｂは、種別Ｂ０で、洋服Ｂ１、和服Ｂ２、帽子Ｂ３、靴Ｂ４、スカーフ・マフラーＢ５、宝飾品Ｂ６、その他Ｂ７、等に区分され、又提供者情報Ｄを記入することができる。【００２０】  その一つである洋服Ｂ１を例示すると、図３に示す如く、スーツ上、スーツ下、ワンピース、ジャケット、パンツ（ズボン）、ブラウス・シャツ、Ｔシャツ、セータ・カーディガン、スカーフ・マフラー、宝飾品、その他、等に、区分されている。【００２１】  そして洋服Ｂ１は、新品、中古、生地、色、デザイン、柄、その他の分類により多岐に選択できるよう構成されている。
洋服Ｂ１以外の種別Ｂ０の、和服Ｂ２、帽子Ｂ３、靴Ｂ４、スカーフ・マフラーＢ５、宝飾品Ｂ６、その他Ｂ７、等に区分され、それらの詳細データも同様に、分類記入することができる。【００２２】  更に物管理情報Ｂには、提供者情報Ｄもリンクされている。
提供者情報Ｄは、図４に示す如く、提供者登録番号Ｄ１、会社名Ｄ２、住所、ＴＥＬ、ホームページ、コーディネート力の有無Ｄ３、コーディネータ名Ｄ４、商品名Ｄ５、価格Ｄ６、等を記入することができる。
以上が服飾品２の物管理情報Ｂの構成である。【００２３】  中央コンピュータ７には、データベース８を介して、マイコーディネータＣに連結され、図５に示すように、マイコーディネータＣは、コーディネート希望選択Ｃ１と、購入希望者１の人管理情報Ａ内の好み情報Ａ３と、場面情報Ａ４と、シーズン情報Ａ５と、希望品目Ａ６と、コーディネート範囲Ａ７と、購入予算Ａ８と、メーカー・ブランド情報Ａ９と、任意の希望を書いてもらう購入者の希望欄Ｃ２等により構成されている。
次に、「上記の内容でコーディネート」のボタンで、コーディネート依頼すると、画面は、自動的に図６のコーディネート画面Ｅに、移動する。【００２４】  図６に示す如く、コーディネート画面Ｅは、コーディネート例をサムネイル表示と詳細表示のいずれかを選択することができる。図６は、サムネイル表示の画面を示している。
サムネイル表示の画面では、コーディネート例のすべての案を表示でき、概略仕様１２ａも比較することができる。更に、コーディネート者の会社名、氏名、及び全体予算額も確認できる。【００２５】  図７は、コーディネート例Ｅ１の詳細画面の一例を、示している。
コーディネート画面Ｅ１の顔の部分１０は、購入希望者の顔写真をはめ込んだり、好みのモデルの顔をはめ込んだり、イラストの顔画像をはめ込むことができる。
そして、服飾品のコーディネート画面Ｅの服飾品部分１１は、合成画面に表示される。
その場合、物品の写真画像でもよいし、写真以外のイラスト画、又はアニメーション映像の表示でもよい。【００２６】  コーディネート例Ｅの詳細画面は、２Ｄ画像、２Ｄの回転画像、３Ｄ画像でもよい。
詳細仕様１２ｂは、アイテム毎の生地、色、デザイン、柄等の情報が記載されており、購入者１が、その内容を正確に知ることができる。
その下には、購入決定、不採用、変更、未決等のボタンがあり、意思を反映することができる。
そして、購入決定、未決等の選択により、図８の購入処理画面Ｆに移動することができる。【００２７】  この購入処理画面Ｆでは、図８に示す如く、購入品名、コーディネート例の選択、支払方法、配達希望日、決済欄で構成されており、最終的購入決裁が、同一の系統画面で出来、送信ボタンを押すことにより決定する。【００２８】  本発明の特徴は前述のごとく、これらの決済事項が、数クリックで、完結するという名づけて「数クリック決済」を採用し、きわめて能率的な段階縮小を図っているところにある。【００２９】  すなわち、従来の服飾品２の購入処理は、決済が必要な項目は、すべて、郵便、ファックス、電話等の従来の手段により実施されていたため、そのやり取りに、多くの時間と人の介在を必要としていた。【００３０】  又、購入希望者１は、店頭やインターネット上で、自分の好みの衣服、装飾品、帽子、靴等を夫々確認、又は検索し、服飾品等の物の購入を行ってきた。
しかるに予算の目標額の制限を考慮しつつ選択を行うには、商品知識や、コーディネートの経験の不足により最適な組み合わせを見つけるには、多くの労力と時間がかかり、短時間で容易に、最適コーディネートされた組合わせを見つけ、それを購入することができなかった。【００３１】  これらを電子的に決済することにより、「数クリック決済」で購入まで完結するため、極めて煩雑な決済処理が大幅に簡略化され、業務効率向上と人件費削減を図ることができる。【００３２】    特に購入希望者１の人管理情報Ａと、服飾品２の物管理情報Ｂとの最適マッチング処理を、購入希望者のコーディネート希望条件を入力し、最適コーディネート例を示すと共に、その購入もシステム上で可能にした画期的システムを提供するものである。【００３３】    ［変形実施例］
この発明は次のように変形して実施することを含むものである。
（１）携帯端末は、ミニコンピュータ形式のものから通常の携帯電話、又はＰＤＡ、又はＩ−ＰＯＤ、ゲーム機端末、カーナビ端末等でも良い。
【産業上の利用可能性】
【００３４】  以上説明したように、購入希望者１の人管理情報と、服飾品２の物管理情報に関し、中央コンピュータ内の自動マッチング検索プログラムにより、最適なコーディネートが可能となることより、大幅な段階縮小が図れること、購入選択の単純化による時間短縮と、それらのコストを画期的に削減できる画期的システムである、従って、日本産業の代表である服飾品の流通業界の活性化に大幅に寄与することができる。
【符号の説明】
【００３５】１        購入希望者
２        服飾品
３ａ、３ｂ、…パーソナルコンピュータ
４ａ、４ｂ、…携帯端末
５        インターネット回線
６        中央管理会社
７        中央コンピュータ
８        データベース
１０      顔の部分
１１      服飾品部分
１２ａ    概略仕様
１２ｂ    詳細仕様
Ａ        人管理情報
Ａ１      基本情報
Ａ２      身体情報
Ａ３      好み情報
Ａ４      場面情報
Ａ５      シーズン情報
Ａ６      希望品目
Ａ７      コーディネート範囲
Ａ８      購入予算
Ａ９      メーカー・ブランド情報
Ａ１０    ペット情報
Ｂ        物管理情報
Ｂ０      種別
Ｂ１      洋服
Ｃ        マイコーディネータ
Ｄ        提供者情報
Ｄ１      提供者登録番号
Ｄ２      会社名
Ｄ３      コーディネート力の有無
Ｄ４      コーディネータ名
Ｄ５      商品名
Ｄ６      価格
Ｅ        コーディネート画面
Ｅ１      コーディネート例
Ｆ        購入処理画面
【図１】
2012033128.tif 000003
【図２】
2012033128.tif 000004
【図３】
2012033128.tif 000005
【図４】
2012033128.tif 000006
【図５】
2012033128.tif 000007
【図６】
2012033128.tif 000008
【図７】
2012033128.tif 000009
【図８】
2012033128.tif 000010